(57)【要約】【課題】散髪された毛髪等が身体や衣服に付着するのを防止する等の、本来の機能を損なうことなく、装着者が快適に装着することができる理美容用のクロスを提供することである。【解決手段】クロス１のクロス本体２に取付孔１９を設ける。取付孔１９には送風装置３が装着されている。装着者Ｈがクロス１を装着すると、送風装置３が装着者Ｈの身体の左右の側部に位置する。送風装置３を駆動すると、クロス１の外部の比較的低温の空気が、クロス１内に吸引される。クロス１内の比較的高温の空気は、吸引された空気と入れ替わり、その際にクロス１内の熱がクロス１の外部に排出される。【選択図】図１
2017035217.tif 000002
【特許請求の範囲】
【請求項１】
理美容用のクロスであって、
送風装置を有しており、前記送風装置は、
理美容用のクロスの外側から理美容用のクロスを装着した者の身体側へ空気を送ることができることを特徴とする理美容用のクロス。
【請求項２】
クロスを装着した者の身体の左右の側部の少なくともいずれかを覆う箇所に、前記送風装置が配置されていることを特徴とする請求項１に記載の理美容用のクロス。
【請求項３】
前記理美容用のクロスは、カット用のクロス，洗髪用のクロス，パーマ用のクロス，毛染め用のクロスのうちのいずれかであることを特徴とする請求項１又は請求項２に記載の理美容用のクロス。
【発明の詳細な説明】
【技術分野】
【０００１】
本発明は、理髪店や美容院等で使用される理美容用のクロスに関するものである。
【背景技術】
【０００２】
理髪店や美容院等では、例えば特許文献１，特許文献２に開示されている様な理美容用のクロスが使用されている。
理美容用のクロスには、例えば、散髪時に使用するカット用のクロス（カットクロス），洗髪時に使用する洗髪用のクロス（シャンプークロス），パーマネント実施時に使用するパーマ用のクロス（パーマクロス），毛染め時に使用する毛染め用のクロス（毛染めクロス）等がある。そして、各作業に適したクロスが、その各作業実施時に適宜交換して使用されることが多い。
この様な理美容用のクロスによって、散髪された毛髪が身体や衣服に付着するのを防いだり、洗髪の際に、湯水やシャンプー等の液剤が身体や衣服に付着するのを防止している。
【先行技術文献】
【特許文献】
【０００３】
【特許文献１】特開２００４−３２４００９号公報
【特許文献２】実公昭５６−４０３３２号公報
【発明の概要】
【発明が解決しようとする課題】
【０００４】
理美容用のクロスは、前述の様な機能を有している反面、クロスの内側は体温によって熱が籠もりやすく、蒸れやすい。そのため、装着者は不快感を我慢しなければならない。
特に夏場は、冷房で室内温度が低く保たれていても、クロスの内側には冷気が入り込みにくく、クロスの装着者は、汗をかき易い。
そこで本発明は、散髪された毛髪等が身体や衣服に付着するのを防止する等の、本来の機能を損なうことなく、装着者が快適に装着することができる理美容用のクロスを提供することを目的とする。
【課題を解決するための手段】
【０００５】
上記課題を解決するための請求項１に記載の発明は、理美容用のクロスであって、送風装置を有しており、前記送風装置は、理美容用のクロスの外側から理美容用のクロスを装着した者の身体側へ空気を送ることができることを特徴とする理美容用のクロスである。
【０００６】
請求項１に記載の発明では、理美容用のクロスは送風装置を有しており、送風装置はクロスの外側からクロスを装着した者の身体側へ確実に空気を送ることができる。送風装置でクロスの身体側である内側に空気が送られることにより、クロスの内側の空気が流動する。
理美容用のクロスの衿部分は、通常、装着者の首にしっかり固定されて閉じているが、クロスの裾部分は開放されているため、送風装置によってクロスの内側に空気が送風されると、クロスの内側の空気は、裾部分から流出する。
すなわち、送風装置によって空気が送風されると、理美容用のクロスの内側の体温で昇温した空気が、比較的低温の空気と入れ替わる。そのため、クロスの内側の熱が排出され、クロスの内側は温度上昇しにくくなる。
よって、クロスの装着者は快適である。
【０００７】
請求項２に記載の発明は、クロスを装着した者の身体の左右の側部の少なくともいずれかを覆う箇所に、前記送風装置が配置されていることを特徴とする請求項１に記載の理美容用のクロスである。
【０００８】
請求項２に記載の発明では、理美容用のクロスにおける、クロスを装着した者の身体の左右の側部の少なくともいずれかを覆う箇所に送風装置が配置されているので、椅子と装着者の間に送風装置が入り込むことがない。よって、送風装置は、空気を吸引する部位が椅子で塞がれることがなく、クロスの外側の空気を良好にクロスの身体側である内側に送風することができる。
また、クロスにおける装着者の身体の左右の側部を覆う箇所に配置された送風装置は天地方向を向きにくく、毛髪が送風装置上に落下したり、送風装置が散髪された毛髪を吸引しにくい。さらに洗髪時に、シャンプー等の液剤が飛散しても、送風装置にかかりにくい。よって、送風装置は、シャンプー等の液剤等を吸引しにくい。
そのため、送風機能を良好に維持することができる。
【０００９】
理美容用のクロスは、カット用のクロス，洗髪用のクロス，パーマ用のクロス，毛染め用のクロスのうちのいずれかとすることができる（請求項３）。
【発明の効果】
【００１０】
本発明の理美容用のクロスによると、送風装置によって理美容用のクロスの身体側の空気が入れ替わり、その際に、理美容用のクロスの内側の熱が排出される。その結果、理美容用のクロスの内側は温度上昇しにくくなり、蒸れにくくなる。そのため、理美容用のクロスの装着者は、散髪，理髪，調髪，又は整髪されている間、快適である。
【図面の簡単な説明】
【００１１】
【図１】椅子に座った人物が、本発明の実施形態に係る理美容用のクロスを纏った状態を示す斜視図である。
【図２】図１の理美容用のクロスの正面図である。
【図３】図２の理美容用のクロスを分解した正面図である。
【図４】図３の送風装置の斜視図である。
【図５】図４の送風装置の分解斜視図である。
【図６】図５の本体部の分解斜視図である。
【図７】図５の送風装置と、集塵フィルタと、クロスの位置関係を示す斜視図である。
【図８】図２の理美容用のクロスの部分拡大断面図である。
【図９】図８の送風装置を分解した状態を示す部分拡大断面図である。
【図１０】送風装置の送風部の正面図であり、集塵フィルタを設けた状態を示す。
【発明を実施するための形態】
【００１２】
図１に示す様に、椅子６０に腰掛けた装着者Ｈが、理美容用のクロス１を纏っている。クロス１における装着者Ｈの身体の左右の側部を覆う部分には、送風装置３の送風部３１（３２）が配置されている。以下、クロス１の構成を具体的に説明する。
【００１３】
クロス１は、図２，図３に示す様な構造を有している。
図３に示す様に、クロス１は、クロス本体２，送風装置３を有している。
【００１４】
図２，図３に示す様に、クロス本体２は、正面視して正方形形状又は長方形形状を呈した一枚の布片であり、後方辺１５，前方辺１６，左側方辺１７，右側方辺１８を有している。後方辺１５と前方辺１６は対向している。
【００１５】
クロス１を装着者Ｈ（図１）が装着した際に、クロス１における後方辺１５側の部位は装着者Ｈの背中側を覆い、前方辺１６側の部位は装着者Ｈの足下側を覆い、左側方辺１７側の部位と右側方辺１８側の部位は、それぞれ装着者Ｈの体の左側と右側を覆う。
【００１６】
四角形のクロス本体２の後方辺１５の中央部分には、クロス本体２の中央に向かって延びるスリット１１が設けられている。
【００１７】
クロス本体２の中央部分よりも、後方辺１５側に偏った位置には、衿部１２が設けられている。すなわち、衿部１２は、左側方辺１７と右側方辺１８の中間であって、後方辺１５に近く前方辺１６から遠い位置にある。衿部１２は、円形の孔で構成されている。衿部１２とスリット１１は連続している。
【００１８】
衿部１２におけるスリット１１との接続部分には、固定部１３，１４が設けられている。すなわち、固定部１３は、衿部１２のスリット１１と連続した一方側の端部に設けられており、固定部１４は、衿部１２のスリット１１と連続した他方側の端部に設けられている。固定部１３は、クロス本体２の正面側（図２，図３の紙面の手前側、表側）に設けられており、固定部１４は、クロス本体２の裏面側（図２，図３の紙面の向こう側、裏側）に設けられている。
固定部１３，１４は、例えば面ファスナーであり、固定位置を微調整することにより、クロス１の装着者Ｈ（図１）の首回りの太さに対応することができる。
【００１９】
図３に示す様に、クロス本体２は、取付孔１９，２０を有している。
取付孔１９，２０は、衿部１２から見てクロス本体２の前方辺１６側に配置されており、且つ、取付孔１９は左側方辺１７側に偏った位置に設けられており、取付孔２０は右側方辺１８側に偏った位置に設けられている。
取付孔１９，２０は貫通孔であり、当該貫通孔の縁部分が別の布片２１，２２によって補強されている。
取付孔１９，２０の間隔は、図１に示す装着者Ｈの身体幅よりも広い。
【００２０】
図３に示す様に、送風装置３は、二つの送風部３１，３２と、操作部３０を有している。
【００２１】
図５に示す様に、送風部３１は、本体部３３と固定部３４を備えている。
【００２２】
図６に示す様に、本体部３３は、外側部材２５と内側部材２６とを有する。
外側部材２５は、格子状の外側スクリーン３５、フランジ部３７、第一係合部２８、第二係合部３８を有している。外側スクリーン３５は平面状であり、外側スクリーン３５の周囲にフランジ部３７が設けられている。フランジ部３７の内周部分には、第一係合部２８と第二係合部３８がそれぞれ複数箇所に設けられている。第一係合部２８と第二係合部３８は、フランジ部３７に対して直交する方向に起立している。
第一係合部２８は、先端部分に突出部２９を備えている。第一係合部２８は、弾性変形が可能であり、突出部２９を円筒部４２の半径方向内方側へ押圧すると、第一係合部２８が弾性変形して、突出部２９が円筒部４２の半径方向内方に移動する。
第二係合部３８は、先端部分に突出部４０を備えている。第二係合部３８は、弾性変形が可能である。そのため、突出部４０を円筒部４２の半径方向内方側へ押圧すると、第二係合部３８が弾性変形して、突出部４０が円筒部４２の半径方向内方に移動する。
【００２３】
内側部材２６は、円筒部４２、格子状の内側スクリーン３６、モータ４５を有している。
円筒部４２は、環状当接部４７と、内側スクリーン固定部４９を有している。環状当接部４７は、外側部材２５のフランジ部３７に当接する部位であり、内側スクリーン固定部４９は、内側スクリーン３６が設けられた部位である。内側スクリーン固定部４９には、円周上の複数箇所に、係合凹部４８が設けられている。
内側スクリーン３６は椀状であり、円筒部４２の内側スクリーン固定部４９に固定されている。内側スクリーン３６の中央部分には、モータ４５が固定されている。
モータ４５の出力軸４５ａには、送風ファン４６が装着されている。送風ファン４６は、内側部材２６内に収容されている。
【００２４】
外側部材２５の第一係合部２８が、内側部材２６の係合凹部４８に係合して外側部材２５と内側部材２６が一体化されており、本体部３３が構成されている。
【００２５】
外側スクリーン３５には、集塵フィルタ４３（図７，図１０）が設けられている。集塵フィルタ４３は、例えばメッシュ状のフィルタである。集塵フィルタ４３は、フランジ部３７や外側スクリーン３５に接着されている。外側スクリーン３５は、送風部３１，３２における空気吸引面を構成しており、集塵フィルタ４３を設けることによって、埃や散髪された毛髪等が送風部３１，３２に吸引されるのを防止することができる。なお、図１〜図３では、集塵フィルタ４３の描写を省略している。
【００２６】
図５に示す様に、固定部３４は環状の部材である。固定部３４は、環状の一端面５１と他端面５２を有している。
【００２７】
次に、クロス１の組立構造について説明する。
図８，図９に示す様に、送風部３１の本体部３３が取付孔１９を正面側（外側）から貫通しており、フランジ部３７がクロス本体２の取付孔１９の縁の外側と密着している。また、固定部３４が、取付孔１９の裏面側（内側、身体側）に配置されていて、本体部３３側の第二係合部３８の突出部４０が、固定部３４の一端面５１に係合し、本体部３３と固定部３４が一体化されている。これにより、固定部３４の他端面５２がクロス本体２（布片２１）と密着している。
すなわち、図８に示す様に、本体部３３のフランジ部３７と固定部３４によってクロス本体２の取付孔１９の縁部分が挟持されており、これをもってクロス本体２に対して送風部３１が強固に固定されている。
【００２８】
換言すると、本体部３３と固定部３４を結合させることによって、送風部３１を容易にクロス本体２に装着することができる。また、本体部３３と固定部３４を分解すると、クロス本体２から送風部３１を容易に取り外すことができる。
【００２９】
送風部３２は、送風部３１と同様の構成を有しており、重複する説明は省略する。
【００３０】
図３に示す操作部３０は、操作スイッチ５４，５５を備えている。また、操作部３０は、図示しない電源と配線接続されている。操作スイッチ５４，５５は、電力供給のＯＮとＯＦＦを切り換えるスイッチである。また、操作部３０は、電線５３を介して送風部３１，３２と接続されている。
すなわち、操作部３０は、電線５３を介して送風部３１，３２に電力を供給することができる。操作部３０の操作スイッチ５４，５５を操作することによって、送風部３１，３２を駆動したり、停止させることができる。
【００３１】
次に、クロス１の使用方法について説明する。
図２に示すクロス１を、図１に示す様に、椅子６０に座った装着者Ｈに装着する。すなわち、装着者Ｈの首にクロス１の衿部１２を取付け、固定部１３，１４によって固定する。これにより、装着者Ｈの首にクロス１が隙間なく取り付けられる。このとき、送風装置３の湾曲した内側スクリーン３６側が装着者Ｈの身体側に配置されており、集塵フィルタ４３を設けた外側スクリーン３５がクロス１の外側に配置されている。
クロス１は、図１に示す様に装着者Ｈ及び椅子６０に沿って垂れ下がり、クロス１の各辺１５〜１８（図２，図３）は、装着者Ｈの足下及び椅子６０の下方に位置しており、裾部分５を形成している。
【００３２】
また、このとき取付孔１９，２０に取り付けられた送風装置３の送風部３１，３２は、装着者Ｈの身体の側部に位置している。図１では、一方の送風部３１のみを描写している。操作部３０は、装着者Ｈによって把持されている。すなわち、装着者Ｈは、クロス１の内側で操作部３０の操作スイッチ５４，５５を操作することができる。
【００３３】
装着者Ｈが、散髪，理髪，調髪，又は整髪等される際、装着者Ｈは、椅子６０に座った状態でクロス１を纏っている（図１）。
そして、装着者Ｈが、暑いと感じると、操作部３０を操作し、送風部３１，３２を駆動する。送風部３１，３２は、クロス１の外部の比較的低温の空気を吸引し、クロス１の内側（身体側）に送風する。このとき、装着者Ｈの体温で昇温したクロス１の内部の空気は、クロス１の裾部分５からクロス１の外側へ排出される。すなわち、送風部３１，３２によって送風された空気によって、クロス１の内部の空気が裾部分５から押し出される。その結果、クロス１の内部の空気は、低温の空気と入れ替わり、装着者Ｈは快適な状態で散髪等を施される。
【００３４】
送風部３１，３２は、装着者Ｈの身体の側方にあり、送風部３１，３２は、装着者Ｈと椅子６０の間に入り込むことがない。よって、送風部３１，３２の空気吸引面（外側スクリーン３５）が椅子６０で塞がれることがなく、送風装置３は、クロス１の外側の空気を良好にクロス１の内側に送風することができる。
【００３５】
また、クロス１における装着者Ｈの身体の側部を覆う箇所に位置する送風装置３（送風部３１，３２）は、空気吸引面（外側スクリーン３５）が天地方向を向きにくく、毛髪が送風部３１，３２の上に落下したり、散髪された毛髪を送風部３１，３２が吸引しにくい。そのため、集塵フィルタ４３が目詰まりしにくく、送風装置３の送風機能を損ないにくい。さらに洗髪時に、湯水やシャンプー等の液剤が飛散しても、飛散した湯水や液剤は、装着者Ｈの身体の側部に沿った送風部３１，３２にかかりにくい。よって、湯水やシャンプー等の液剤等が集塵フィルタ４３に付着しにくく、理美容用のクロスの身体側に湯水や液剤等が侵入したり、送風装置３の送風機能を損なうことがない。
【００３６】
仮に、扇風機等でクロスの開放された裾部分から空気を取り入れようとしても、衿部が固定されているため、クロス内の空気は外部の空気と入れ替わりにくい。そのため、クロス内の熱はクロス１の内側から逃げにくい。しかし、本実施形態のクロス１は、クロス本体２に送風装置３を取り付けたことにより、クロス１の外側から内側へ空気流が貫通して入り込み、クロス１内の空気が、開放された裾部分５から排出されるので、裾部分５から扇風機等で送風する場合よりもクロス１内の空気が入れ替わり易い。
【００３７】
送風装置３は、市販品を採用することができる。
図示しない電源としては、商用電源を採用することができるが、バッテリであってもよい。すなわち、操作部３０にバッテリを搭載していてもよい。
また、送風装置３は、操作部３０を設けず、各送風部３１，３２に直に操作スイッチが設けられていてもよい。
さらに、送風装置３の送風部３１，３２に設けたモータ４５は、直流モータ，交流モータのいずれであってもよい。
【００３８】
本実施形態では、クロス１に送風部３１，３２を二つ設ける例を示したが、送風部は一つであってもよく、また、三つ以上であってもよい。
【００３９】
理美容用のクロス１は、カット用のクロス（カットクロス），洗髪用のクロス（シャンプークロス），パーマ用のクロス（パーマクロス），毛染め用のクロス（毛染めクロス）とすることができる。
【符号の説明】
【００４０】
１    理美容用のクロス
３    送風装置
Ｈ    クロスの装着者
【図１】
2017035217.tif 000003
【図２】
2017035217.tif 000004
【図３】
2017035217.tif 000005
【図４】
2017035217.tif 000006
【図５】
2017035217.tif 000007
【図６】
2017035217.tif 000008
【図７】
2017035217.tif 000009
【図８】
2017035217.tif 000010
【図９】
2017035217.tif 000011
【図１０】
2017035217.tif 000012